(57)【要約】【課題】ディスプレイが高い位置に配置された場合であっても、タッチ操作がし易い画像表示システムを提供する。【解決手段】タッチパネル（２０）が搭載されて表示画面上でのタッチ操作が可能なディスプレイ（１０）を備えた画像表示システム（１）において、ディスプレイ（１０）の設置高さを変移させる駆動モータ（４０）と、駆動モータ（４０）によるディスプレイ（１０）の移動を制御する制御装置（７０）と、ディスプレイ（１０）の設置高さを検出する位置センサ（５０）と、タッチパネル（２０）からの出力信号と位置センサ（５０）により検出されたディスプレイ（１０）の位置情報を記憶する記憶手段（６０）と、を備え、制御装置（７０）は、位置センサ（５０）の検出結果に基づき、ディスプレイ（１０）に表示する操作メニュー（１０１）の表示位置を制御する機能を備えることを特徴とするものである。【選択図】図１
2015001939.tif 000002
【特許請求の範囲】
【請求項１】
タッチパネルが搭載されて表示画面上でのタッチ操作が可能な画像表示装置を備えた画像表示システムにおいて、
前記画像表示装置の設置高さを変移させる移動手段と、
前記移動手段による前記画像表示装置の移動を制御する制御手段と、
前記画像表示装置の設置高さを検出する高さ検出手段と、
前記タッチパネルからの出力信号と前記高さ検出装置により検出された位置情報を記憶する記憶手段と、を備え、
前記制御手段は、前記高さ検出手段の検出結果に基づき、前記画像表示装置に表示する画面を制御する機能を備えることを特徴とする画像表示システム。
【請求項２】
前記制御手段は、前記高さ検出装置の検出結果に基づき、ユーザ毎に表示する画像を制御する機能を備えることを特徴とする請求項１に記載の画像表示システム。
【請求項３】
前記制御手段は、前記高さ検出装置の検出結果に基づき、アプリケーション毎に画像を制御する機能を備えることを特徴とする請求項１に記載の画像表示システム。
【発明の詳細な説明】
【技術分野】
【０００１】
本発明は、画像表示システムに係り、特に、タッチパネルが搭載されて表示画面上でのタッチ操作が可能な画像表示装置を備えた画像表示システムに関する。
【背景技術】
【０００２】
近年、大型のディスプレイ（画像表示装置）を用いる画像表示システムが知られている。この画像表示システムは、会議やプレゼンテーション等を行う際に多く利用される。
【０００３】
また、画像表示システムの一例として、タッチパネルを搭載して表示画面上でのタッチ操作を可能としたディスプレイを用いた、いわゆる電子黒板が知られている。
【０００４】
例えば、従来技術として、電子黒板のアプリケーションにより、ディスプレイ上に資料を表示し、その表示された資料に書込みをした手書き状態の画像を保存することができ、この保存した手書き付きの資料を再度呼び出せる技術が開示されている（特許文献１を参照）。
【先行技術文献】
【特許文献】
【０００５】
【特許文献１】特開２０００−４３４８４号公報
【発明の概要】
【発明が解決しようとする課題】
【０００６】
上述した従来技術によれば、電子黒板で手書きした内容を、その状態のままで保存でき、引き続き手書きを行いたい場合に、前回保存した状態を呼び出すことができる。
【０００７】
このような電子黒板において、ディスプレイに呼び出した情報を見やすくするために、ディスプレイの設置高さを上下に移動させることが可能である。しかしながら、ディスプレイを高い位置に移動させた場合、ユーザによってはタッチ操作がし難くなるという課題があった。
【０００８】
本発明は、上記従来の問題点に鑑みてなされたものであって、画像表示システムにおいて、ディスプレイが高い位置に配置された場合であっても、タッチ操作がし易い画像表示システムを提供することを目的とする。
【課題を解決するための手段】
【０００９】
上述した課題を解決するための本発明に係る画像表示システムは、次の通りである。
【００１０】
本発明は、タッチパネルが搭載されて表示画面上でのタッチ操作が可能な画像表示装置（例えば、ディスプレイ）を備えた画像表示システムにおいて、前記画像表示装置の設置高さを変移させる移動手段と、前記移動手段による前記画像表示装置の移動を制御する制御手段と、前記画像表示装置の設置高さを検出する高さ検出手段と、前記タッチパネルからの出力信号（操作位置情報）と前記高さ検出装置により検出された位置情報（設置高さ）を記憶する記憶手段と、を備え、前記制御手段の構成として、前記高さ検出手段の検出結果に基づき、前記画像表示装置に表示する画像（例えば、画面操作を行う操作メニューの表示位置）を制御する機能を備えることを特徴とするものである。
【００１１】
また、本発明は、前記制御手段の構成として、前記高さ検出装置の検出結果に基づき、ユーザ毎に表示する画像（例えば、画面操作を行う操作メニューの表示位置）を制御する機能を備えることが好ましい。
【００１２】
また、本発明は、前記制御手段の構成として、前記高さ検出装置の検出結果に基づき、アプリケーション毎に画像（例えば、画面操作を行う操作メニューの表示位置）を制御する機能を備えることが好ましい。
【発明の効果】
【００１３】
本発明の画像表示システムによれば、タッチパネルが搭載されて表示画面上でのタッチ操作が可能な画像表示装置を備えた画像表示システムにおいて、前記画像表示装置の設置高さを変移させる移動手段と、前記移動手段による前記画像表示装置の移動を制御する制御手段と、前記画像表示装置の設置高さを検出する高さ検出手段と、前記タッチパネルからの出力信号（操作位置情報）と前記高さ検出装置により検出された位置情報（設置高さ）を記憶する記憶手段と、を備え、前記制御手段は、前記高さ検出手段の検出結果に基づき、前記画像表示装置に表示する画面（例えば、画面操作を行う操作メニューの表示位置）を制御する機能を備えることで、例えば、高い位置に画像表示装置を移動した場合、例えば、操作メニューを手に届く位置に表示することができるため、ユーザの使いやすい高さで操作メニューを操作することができる。
【図面の簡単な説明】
【００１４】
【図１】本発明の実施形態に係る画像表示システムの全体の構成を示す説明図である。
【図２】前記画像表示システムを構成する制御装置の電気的構成を示すブロック図である。
【図３】前記画像表示システムを構成する制御部の機能を示す説明図である。
【図４】前記画像表示システムにおいてディスプレイが低い位置に配置されたときの画面表示の一例を示す説明図である。
【図５】前記ディスプレイが高い位置に配置されたときの画面表示の一例を示す説明図である。
【図６】前記画像表示システムにおいてディスプレイの設置高さに応じて操作メニューの表示位置を設定する実施例１のテーブルの説明図である。
【図７】前記画像表示システムにおいてディスプレイの設置高さに応じて操作メニューを表示する実施例１の処理手順を示すフローチャートである。
【図８】前記画像表示システムにおいてユーザ毎にディスプレイの設置高さに応じて操作メニューの表示位置を設定する実施例２のテーブルの説明図である。
【図９】前記画像表示システムにおいてユーザ毎にディスプレイの設置高さに応じて操作メニューを表示する実施例２の処理手順を示すフローチャートである。
【図１０】前記画像表示システムにおいて使用するアプリケーションに対応してディスプレイの設置高さに応じて操作メニューの表示位置を設定する実施例３のテーブルの説明図である。
【図１１】前記画像表示システムにおいてアプリケーションに対応してディスプレイの設置高さに応じて操作メニューを表示する実施例３の処理手順を示すフローチャートである。
【図１２】前記ディスプレイの表示画面上に表示されたコンテンツの上部に操作メニューが表示された一例を示す説明図である。
【図１３】前記ディスプレイの表示画面上に表示されたコンテンツの下部に操作メニューが表示された一例を示す説明図である。
【図１４】前記ディスプレイの表示画面上に表示された動画再生コンテンツの下部に操作メニューが表示された例を示す説明図である。
【図１５】前記ディスプレイの表示画面上に動画再生コンテンツを全画面表示して操作メニューを非表示にした例を示す説明図である。
【図１６】本発明の実施形態に係る画像表示システムの変形例の構成を示す説明図であって（ａ）はディスプレイを高い位置に設置した状態を示す説明図、（ｂ）はディスプレイを低い位置に設置した状態を示す説明図である。
【発明を実施するための形態】
【００１５】
以下、本発明の画像表示システムを実施するための形態について図面を参照して説明する。
図１は発明を実施する形態の一例であって、本発明の実施形態に係る画像表示システムの全体の構成を示す説明図、図２は前記画像表示システムを構成する制御装置の電気的構成を示すブロック図である。
【００１６】
本実施形態に係る画像表示システム１は、図１に示すように、タッチパネル２０が搭載されて表示画面上でのタッチ操作を可能としたディスプレイ（画像表示装置）１０を備えた画像表示システムにおいて、本発明に係る画像表示システムの構成を採用したものである。
【００１７】
まず、本実施形態に係る画像表示システム１の全体構成について説明する。
本実施形態に係る画像表示システム１は、図１，図２に示すように、主に、タッチパネル２０が搭載されたディスプレイ（画像表示装置）１０と、ディスプレイ１０を保持するスタンドユニット３０を備え、ディスプレイ１０の設置高さを変移させる駆動モータ（移動手段）４０（図２を参照）と、ディスプレイ１０の設置高さを検出する位置センサ（高さ検出手段）５０と、タッチパネル２０からの出力信号と位置センサ５０により検出された位置情報を記憶する記憶手段６０（図２を参照）と、各部装置と接続されて各部装置の動作制御を行う制御装置（制御手段）７０と、を備えている。
【００１８】
ディスプレイ１０は、制御装置７０と接続されている。
タッチパネル２０は、ディスプレイ１０の表示画面に重ねて設けられている。そして、タッチパネルコントローラ２１を備えてタッチパネル２０上で指示されるタッチ操作を制御するようにされている。タッチパネルコントローラ２１は、制御装置７０と接続されている。
【００１９】
スタンドユニット３０には、駆動モータ４０が設けられ、ディスプレイ１０を駆動モータ４０により上下方向に移動可能に支持する。
【００２０】
駆動モータ４０は、制御装置７０に接続され、ユーザの指示に応じて駆動制御される。
位置センサ５０は、制御装置７０に接続されて、駆動モータ４０により設置高さが変移するディスプレイ１０の位置を検出する。
位置センサ５０は、制御装置７０と接続されている。
【００２１】
制御装置７０は、図２に示すように、主に、制御装置全体を制御するＣＰＵ７１、プログラム等が記憶されるＨＤＤ７２やＲＡＭ７３、各部装置との接続を行うＶＧＡ（ビデオ  グラフィック  アレイ）インターフェース７４，ＵＳＢ（ユニバーサル  シリアル  バス）インターフェース７５，ネットワークインターフェース７６を備えている。
【００２２】
本実施形態では、記憶手段６０としてＨＤＤ７２とＲＡＭ７３とを用いている。
ＨＤＤ７２にはディスプレイ１０の設置高さの値に対応する操作メニューの表示位置条件等が保管される。ＲＡＭ７３には位置センサ５０により検出した値が一時保管される。
【００２３】
ＶＧＡインターフェース７４は、ディスプレイ１０に接続して画像を転送する。
【００２４】
ＵＳＢインターフェース７５は、タッチパネル２０を制御するタッチパネルコントローラ２１と、ディスプレイ１０の高さ検出を行う高さ位置センサ５０を制御装置７０に接続する。
【００２５】
ネットワークインターフェース７６は、外部とアクセスするための接続手段である。
【００２６】
次に、本実施形態の画像表示システム１の特徴的な構成について説明する。
図３は本実施形態の画像表示システムを構成する制御部の機能を示す説明図、図４は前記画像表示システムにおいてディスプレイが低い位置に配置されたときの画面表示の一例を示す説明図、図５は前記ディスプレイが高い位置に配置されたときの画面表示の一例を示す説明図である。
【００２７】
本実施形態の画像表示システム１は、図３に示すように、ディスプレイ１０の設置高さに応じて表示画面に表示される画像を制御することを特徴とするものであって、制御装置７０の機能として、表示画面制御機能７０１、ユーザ対応表示画面制御機能７０２、アプリケーション対応表示画面制御機能７０３、を備えている。
【００２８】
表示画面制御機能７０１は、ディスプレイ１０の設置高さを検出する位置センサ５０の検出結果に基づき、ディスプレイ１０に表示する画面（例えば操作メニューの表示位置）を制御する機能である。
【００２９】
具体的には、例えば、位置センサ５０により、ディスプレイ１０の設置位置が基準位置よりも低い位置にあることが検出された場合は、表示画面制御機能７０１により、図４に示すように、ディスプレイ１０に表示する操作メニュー１０１をディスプレイ１０の表示画面の上寄りの位置に表示する。
【００３０】
一方、位置センサ５０により、ディスプレイ１０の設置位置が基準位置よりも高い位置にあることが検出された場合は、表示画面制御機能７０１により、図５に示すように、ディスプレイ１０に表示する操作メニュー１０１をディスプレイ１０の表示画面の下寄りの位置に表示する。
【００３１】
ここで、本実施形態では、操作メニューとは、表示画面の一例であってページ捲り機能や拡大／縮小機能を行う操作画面の一部の表示画像を示す。
【００３２】
このように、ディスプレイ１０の設置高さに応じてディスプレイ１０の表示画面を制御することで、ユーザにとって操作し易い位置に操作メニュー１０１を表示することができる。
【００３３】
ユーザ対応表示画面制御機能７０２は、位置センサ５０の検出結果に基づき、画像表示システム１を使用するユーザ毎にディスプレイ１０の設置高さに応じてディスプレイ１０に表示する画面（例えば操作メニューの表示位置）を制御する機能である。
【００３４】
具体的には、予めユーザ毎にディスプレイ１０の設置高さとそのディスプレイ１０の設置高さに応じた表示する画像の表示位置を設定する。そして、ユーザに応じて、位置センサ５０により検出されたディスプレイ１０の設置高さに応じて表示する画像の位置を制御する。
【００３５】
例えば、画像表示システム１を使用するユーザが設定されて、位置センサ５０によりディスプレイ１０の設置高さが検出されたとき、ユーザ対応表示画面制御機能７０２により、ユーザに対応したディスプレイ１０の設置高さに応じてディスプレイ１０に表示する操作メニュー１０１が、図４または図５に示すように、ディスプレイ１０の表示画面の下寄りの位置や上寄りの位置に表示するように制御される。
【００３６】
このように、ユーザ毎にディスプレイ１０に表示される操作メニューの表示位置を制御することによって、それぞれのユーザに対して最適な位置に操作メニューの画像を表示することができる。
【００３７】
アプリケーション対応表示画面制御機能７０３は、位置センサ５０の検出結果に基づき、画像表示システム１に用いられるアプリケーション毎にディスプレイ１０の設置高さに応じてディスプレイ１０に表示する画面（例えば操作メニューの表示位置）を制御する機能である。
【００３８】
具体的には、例えば、ディスプレイ１０に動画再生アプリケーションを表示しているときに、ディスプレイ１０を高い位置に移動した場合は、再生メニューを非表示にできるようにして、再生表示エリアを拡大して表示できるようにする。
【００３９】
また、プレゼンテーションのアプリケーションを表示しているときに、ディスプレイ１０を高い位置に移動した場合は、図５に示すように、ページ送りを行う操作メニュー１０１の位置をディスプレイ１０の下寄りに表示する。
【００４０】
このように、ディスプレイ１０に表示するアプリケーションによって、ユーザが操作し易いように最適な表示方法に切り替えることができる。
【００４１】
次に、本実施形態の画像表示システム１を使用して画像表示を行う際の、ディスプレイ１０の設置高さに応じて表示画面の表示を制御する処理手順についてフローチャートに沿って説明する。
【００４２】
図６は本実施形態の画像表示システムにおいてディスプレイの設置高さに応じて操作メニューの表示位置を設定する実施例１のテーブルの説明図、図７は前記画像表示システムにおいてディスプレイの設置高さに応じて操作メニューを表示する実施例１の処理手順を示すフローチャート、図８は前記画像表示システムにおいてユーザ毎にディスプレイの設置高さに応じて操作メニューの表示位置を設定する実施例２のテーブルの説明図、図９は前記画像表示システムにおいてユーザ毎にディスプレイの設置高さに応じて操作メニューを表示する実施例２の処理手順を示すフローチャート、図１０は前記画像表示システムにおいて使用するアプリケーションに対応してディスプレイの設置高さに応じて操作メニューの表示位置を設定する実施例３のテーブルの説明図、図１１は前記画像表示システムにおいてアプリケーションに対応してディスプレイの設置高さに応じて操作メニューを表示する実施例３の処理手順を示すフローチャート、図１２は前記ディスプレイの表示画面上に表示されたコンテンツの上部に操作メニューが表示された一例を示す説明図、図１３は前記ディスプレイの表示画面上に表示されたコンテンツの下部に操作メニューが表示された一例を示す説明図、図１４は前記ディスプレイの表示画面上に表示された動画再生コンテンツの下部に操作メニューが表示された例を示す説明図、図１５は前記ディスプレイの表示画面上に動画再生コンテンツを全画面表示して操作メニューを非表示にした例を示す説明図である。
【００４３】
（実施例１）
実施例１として、画像表示システム１においてディスプレイ１０の設置高さに応じて画像表示を行う場合についてフローチャートに沿って説明する。
【００４４】
画像表示システム１において、図６に示すように、ディスプレイ１０の設置高さに応じて操作メニューの表示位置を設定するテーブルが記憶手段として機能するＨＤＤ７２に記録されている。
【００４５】
実施例１のテーブルは、ディスプレイ１０の設置高さに応じて操作メニューが表示される表示画面上の位置を決定するもので、位置センサ５０により検出された値（単位はｃｍ）が「−１０」のときは操作メニューの表示位置をディスプレイ１０の表示画面の「上寄り」とし、以下、「０（基準位置）」，「＋１０」のときは「上寄り」、「＋２０」のときは「右横」、「＋３０」,「＋４０」のときは「下寄り」に表示するように設定される。
【００４６】
実施例１では、画像表示システム１において、制御装置７０の表示画面制御機能７０１により、位置センサ５０によるディスプレイ１０の設置高さの検出結果と実施例１のテーブルに基づき、操作メニューの表示位置が設定される。
【００４７】
画像表示システム１において、画像表示が開始されると、図７に示すように、まず、ディスプレイ１０の表示画面上に初期画面が表示される（ステップＳ１１）。このとき、操作メニュー１０１は、図１２に示すように、ディスプレイ１０の表示画面の上寄りの位置、すなわちディスプレイ１０に表示されるコンテンツ１０２の上部に表示されている。
【００４８】
そして、位置センサ５０によりディスプレイ１０の設置高さが検出されて、ディスプレイ１０の設置高さが＋２０（ｃｍ）以上か否かが判断される（ステップＳ１２）。
【００４９】
ステップＳ１２において、ディスプレイ１０の設置高さが＋２０（ｃｍ）以上であると判断された場合は、例えば、ディスプレイ１０の設置高さが＋３０（ｃｍ）のときは、操作メニュー１０１は、図１３に示すように、ディスプレイ１０の表示画面の下寄りの位置、すなわちディスプレイ１０に表示されるコンテンツ１０２の下部に切替えて表示される（ステップＳ１３）。そして、表示処理は終了する。
【００５０】
一方、ステップＳ１２において、ディスプレイ１０の設置高さが＋２０（ｃｍ）以上ではないと判断された場合は、操作メニュー１０１は、図１２に示すように、そのままディスプレイ１０の表示画面の上寄りに固定して表示される（ステップＳ１４）。そして、表示処理は終了する。
【００５１】
このようにして、画像表示システム１において、ディスプレイ１０の設置高さに応じて操作メニュー１０１の表示位置が切替えられて表示される。これにより、操作メニュー１０１をユーザが操作し易い位置に表示することができる。
【００５２】
（実施例２）
実施例２として、画像表示システム１においてユーザ毎にディスプレイ１０の設置高さに応じて画像表示を行う場合についてフローチャートに沿って説明する。
【００５３】
画像表示システム１において、図８に示すように、ユーザ毎にディスプレイ１０の設置高さに応じて操作メニューの表示位置を設定するテーブルがＨＤＤ７２に記録されている。
【００５４】
実施例２のテーブルは、ユーザＡおよびユーザＢ毎にディスプレイ１０の設置高さに応じて操作メニューが表示される表示画面上の位置を決定するものである。
【００５５】
ユーザＡに対しては、位置センサ５０により検出された値（単位はｃｍ）が「−１０」のとき、操作メニューの表示位置をディスプレイ１０の表示画面の「上寄り」とし、以下、「０（基準位置）」，「＋１０」のときは「上寄り」、「＋２０」のときは「右横」、「＋３０」,「＋４０」のときは「下寄り」に表示するように設定される。
【００５６】
ユーザＢに対しては、位置センサ５０により検出された値（単位はｃｍ）が「−１０」のとき、操作メニューの表示位置をディスプレイ１０の表示画面の「上寄り」とし、以下、「０（基準位置）」，「＋１０」，「＋２０」，「＋３０」のときは「上寄り」、「＋４０」のときは「下寄り」に表示するように設定される。
【００５７】
実施例２では、画像表示システム１において、制御装置７０のユーザ対応表示画面制御機能７０２により、位置センサ５０によるディスプレイ１０の設置高さの検出結果と実施例２のテーブルに基づき、ユーザ毎に操作メニューの表示位置が設定される。
【００５８】
画像表示システム１において、画像表示を開始し、図９に示すように、まず、画像表示システム１を使用するユーザをログインする（ステップＳ２１）。そして、ディスプレイ１０の表示画面上に初期画面が表示される（ステップＳ２２）。このとき、操作メニュー１０１は、図１２に示すように、ディスプレイ１０の表示画面の上寄りの位置、すなわちディスプレイ１０に表示されるコンテンツ１０２の上部に表示されている。
【００５９】
そして、位置センサ５０によりディスプレイ１０の設置高さが検出されて、ディスプレイ１０の設置高さが＋２０（ｃｍ）以上か否かが判断される（ステップＳ２３）。
【００６０】
ステップＳ２３において、ディスプレイ１０の設置高さが＋２０（ｃｍ）以上であると判断された場合は、例えば、ディスプレイ１０の設置高さが＋３０（ｃｍ）のときは、ユーザと位置センサ５０により検出されたディスプレイ１０の設置高さを参照して、実施例２のテーブルにより操作メニュー１０１の表示位置を決定する（ステップＳ２４）。そして、ユーザがユーザＡである場合は、操作メニュー１０１は、図１３に示すように、ディスプレイ１０の表示画面の下寄りの位置、すなわちディスプレイ１０に表示されるコンテンツ１０２の下部に切替えて表示される（ステップＳ２５）。そして、表示処理は終了する。
【００６１】
一方、ステップＳ２３において、ディスプレイ１０の設置高さが＋２０（ｃｍ）以上ではないと判断された場合は、操作メニュー１０１は、図１２に示すように、そのままディスプレイ１０の表示画面の上寄りに固定して表示される（ステップＳ２６）。そして、表示処理は終了する。
【００６２】
このようにして、画像表示システム１において、ユーザとディスプレイ１０の設置高さに応じて操作メニュー１０１の表示位置が切替えられて表示される。これにより、操作メニュー１０１をユーザ毎に操作し易い位置に表示することができる。
【００６３】
（実施例３）
実施例３として、画像表示システム１において使用するアプリケーション対応してディスプレイ１０の設置高さに応じて画像表示を行う場合についてフローチャートに沿って説明する。
【００６４】
画像表示システム１において、図１０に示すように、使用するアプリケーション毎にディスプレイ１０の設置高さに応じて操作メニューの表示位置を設定するテーブルがＨＤＤ７２に記録されている。
【００６５】
実施例３のテーブルは、動画再生アプリケーションおよびプレゼンテーション用アプリケーション毎にディスプレイ１０の設置高さに応じて操作メニューが表示される表示画面上の位置を決定するものである。
【００６６】
動画再生アプリケーションに対しては、位置センサ５０により検出された値（単位はｃｍ）が「−１０」のとき、操作メニューの表示位置をディスプレイ１０の表示画面の「上寄り」とし、以下、「０（基準位置）」のときは「上寄り」、「＋１０」，「＋２０」のときは「下寄り」に表示して、「＋３０」,「＋４０」のときは「非表示」とするように設定される。
【００６７】
プレゼンテーション用アプリケーションに対しては、位置センサ５０により検出された値（単位はｃｍ）が「−１０」のとき、操作メニューの表示位置をディスプレイ１０の表示画面の「右上」とし、以下、「０（基準位置）」，「＋１０」，「＋２０」のときは「右上」、「＋３０」，「＋４０」のときは「右下」に表示するように設定される。
【００６８】
実施例３では、画像表示システム１において、制御装置７０のアプリケーション対応表示画面制御機能７０３により、位置センサ５０によるディスプレイ１０の設置高さの検出結果と実施例３のテーブルに基づき、アプリケーション毎に操作メニューの表示位置が設定される。
【００６９】
画像表示システム１において、画像表示を開始し、図１１に示すように、まず、画像表示システム１を使用するアプリケーション（ここでは動画再生アプリケーション）を起動する（ステップＳ３１）。そして、ディスプレイ１０の表示画面上に初期画面が表示される（ステップＳ３２）。このとき、操作メニュー３０１は、ディスプレイ１０の表示画面の上寄りの位置、すなわちディスプレイ１０に表示される動画コンテンツ３０２の上部に表示されている。
【００７０】
そして、位置センサ５０によりディスプレイ１０の設置高さが検出されて、ディスプレイ１０の設置高さが＋２０（ｃｍ）以上か否かが判断される（ステップＳ３３）。
【００７１】
ステップＳ３３において、ディスプレイ１０の設置高さが＋２０（ｃｍ）以上であると判断された場合は、使用中のアプリケーションと位置センサ５０により検出されたディスプレイ１０の設置高さを参照して、実施例３のテーブルにより操作メニュー３０１の表示位置を決定する（ステップＳ３４）。そして、使用中のアプリケーションが動画再生アプリケーションである場合は、操作メニュー３０１は、図１４に示すように、ディスプレイ１０の表示画面の下寄りの位置、すなわちディスプレイ１０に表示される動画コンテンツ３０２の下部に切替えて表示される（ステップＳ３５）。そして、表示処理は終了する。
【００７２】
一方、ステップＳ３３において、ディスプレイ１０の設置高さが＋２０（ｃｍ）以上ではないと判断された場合は、操作メニュー３０１は、そのままディスプレイ１０の表示画面の上寄りに固定して表示される（ステップＳ３６）。そして、表示処理は終了する。
【００７３】
このようにして、画像表示システム１において、使用するアプリケーションとディスプレイ１０の設置高さに応じて操作メニュー３０１の表示位置が切替えられて表示される。これにより、使用するアプリケーションに応じて操作メニュー３０１を操作し易い位置に表示することができる。
【００７４】
なお、実施例３では、動画再生アプリケーションを使用する場合、ディスプレイ１０の設置高さが＋３０（ｃｍ）以上になると、図１５に示すように、表示画面上での操作がし難くなるため、動画コンテンツ３０２を全画面表示として操作メニュー３０１を非表示としている。これにより、操作し難い表示画面上での操作が強いられることがない。
【００７５】
以上のように構成したので、本実施形態によれば、タッチパネル２０が搭載されて表示画面上でのタッチ操作を可能としたディスプレイ１０を備えた画像表示システム１において、ディスプレイ１０の設置高さを変移させる駆動モータ４０と、駆動モータ４０によるディスプレイ１０の移動を制御する制御装置７０と、ディスプレイ１０の設置高さを検出する位置センサ５０と、タッチパネル２０からの出力信号と位置センサ５０により検出されたディスプレイ１０の位置情報（設置高さ）を記憶するＨＤＤ７２と、を備え、制御装置７０の機能として、表示画面制御機能７０１を備えることで、高い位置や低い位置にディスプレイ１０を移動した場合でも、ディスプレイ１０の表示画面に表示される操作メニュー１０１を手に届く位置に表示することができるため、ユーザが使いやすい高さで操作メニュー１０１を操作することができる。
【００７６】
また、本実施形態によれば、制御装置７０の機能としてユーザ対応表示画面制御機能７０２を備えているので、ユーザ毎に操作メニュー１０１の表示位置を制御できるので、身長の異なるユーザでも容易に操作メニュー１０１を使いやすい高さに表示することができる。
【００７７】
また、本実施形態によれば、制御装置７０の機能としてアプリケーション対応表示画面制御機能７０３を備えているので、使用するアプリケーションに応じて操作メニュー３０１を操作し易い位置に表示することができる。
【００７８】
例えば、ディスプレイ１０に動画再生アプリケージョンを表示している場合に、ディスプレイ１０を高い位置に移動した場合は、操作メニュー３０１を非表示にさせることができ、再生表示エリアを拡大することができる。また、ディスプレイ１０にプレゼンテーションのアプリケーションを表示している場合に、ディスプレイ１０を高い位置に移動した場合は、操作メニュー３０１を表示画面の下寄りに表示させる。
このように、表示するアプリケーションによって最適な表示方法に切り替えることができる。
【００７９】
なお、本実施形態および実施例では、画像表示システム１のディスプレイ１０の設置高さを検出する高さ検知手段として位置センサ５０を用いているが、本発明は、高さ検知手段の構成をこれに限定するものではない。
【００８０】
（変形例）
以下に、上述した実施形態の画像表示システム１の変形例について図面を参照して説明する。
図１６は本発明の実施形態に係る画像表示システムの変形例の構成を示す説明図であって（ａ）はディスプレイを高い位置に設置した状態を示す説明図、（ｂ）はディスプレイを低い位置に設置した状態を示す説明図である。
【００８１】
変形例は、本発明の画像表示システムを構成する高さ検出手段として、上述した実施形態の位置センサ５０に代えてステレオカメラを用いてディスプレイの設置高さを検出するように構成したものである。
【００８２】
変形例は、図１６（ａ），（ｂ）に示すように、ディスプレイ１１０がワイヤ吊り下げ方式で天井１００１から吊り下げるように構成された画像表示システム１００であって、ディスプレイ１１０の設置高さを変移させる移動手段として、駆動モータ４０に代えてワイヤ巻取りリール１４０を備え、さらに、ディスプレイ１１０の設置高さを検出する高さ検出手段として、位置センサ５０に代えてステレオカメラ１５０を備えている。
【００８３】
なお、この画像表示システム１００は、図示しない制御装置によって、上述した実施形態の画像表示システム１と同様にディスプレイ１１０に表示される画像の表示位置を制御するように構成されている。
【００８４】
ワイヤ巻取りリール１４０は、ワイヤ１４１の巻取り量に応じてディスプレイ１１０の設置高さを設定する。符号１４２は吊り下げワイヤを示す。
【００８５】
ステレオカメラ１５０は、ディスプレイ１１０の下部に間隔を隔てて２台のカメラ１５１，１５２を設けてステレオカメラを構成している。
【００８６】
ステレオカメラ１５０は、２台のカメラ１５１，１５２によりそれぞれ床面１００２を撮影して、その２つの撮影画像間の視差（２つの撮影画像における位置のズレ）から高さを検出する。
【００８７】
画像表示システム１００は、ステレオカメラ１５０により検出されたディスプレイ１１０の設置高さに応じて表示画面に表示される操作メニュー１１０１の表示位置を制御するように構成されている。
【００８８】
以上のように構成したので、変形例の画像表示システム１００によれば、ディスプレイ１１０を床面に設置できない場所においても、ワイヤ巻取りリール１４０により天井から吊り下げてディスプレイ１１０の設置高さを変えることができる。そして、ステレオカメラ１５０によりディスプレイ１１０の設置高さを検出して、ディスプレイ１１０の設置高さに応じて操作メニュー１１０１の表示位置を設定することができる。
【００８９】
なお、本発明は、上述した実施形態や実施例、変形例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【００９０】
１，１００  画像表示システム
１０，１１０  ディスプレイ（画像表示装置）
２０  タッチパネル
２１  タッチパネルコントローラ
３０  スタンドユニット
４０  駆動モータ（移動手段）
５０  位置センサ（高さ検出手段）
６０  記憶手段
７０  制御装置
１０１，３０１，１１０１  操作メニュー
１０２  コンテンツ
１４０  ワイヤ巻取りリール（移動手段）
１５０  ステレオカメラ（高さ検出手段）
１５１，１５２         カメラ
３０２  動画コンテンツ
７０１  表示画面制御機能
７０２  ユーザ対応表示画面制御機能
７０３  アプリケーション対応表示画面制御機能
【図１】
2015001939.tif 000003
【図２】
2015001939.tif 000004
【図３】
2015001939.tif 000005
【図４】
2015001939.tif 000006
【図５】
2015001939.tif 000007
【図６】
2015001939.tif 000008
【図７】
2015001939.tif 000009
【図８】
2015001939.tif 000010
【図９】
2015001939.tif 000011
【図１０】
2015001939.tif 000012
【図１１】
2015001939.tif 000013
【図１２】
2015001939.tif 000014
【図１３】
2015001939.tif 000015
【図１４】
2015001939.tif 000016
【図１５】
2015001939.tif 000017
【図１６】
2015001939.tif 000018